【事件の表示】
　平成　９年特許願第２６２６０５号「パチンコ機」拒絶査定に対する審判事件［平成１０年　３月３１日出願公開、特開平１０−　８０５５０］について、次のとおり審決する。
【結　論】
　本件審判の請求は、成り立たない。
【理　由】
［１］手続の経緯
　本願は、平成８年２月５日に出願した特願平８−４４２２４号の一部を平成９年８月２０日に新たな特許出願としたものであって、（ア）平成１１年１０月２１日付手続補正書、及び（イ）平成１３年５月２２日付手続補正書により明細書が補正され、さらに、（ウ）同法第１７条の２第１項第３号の規定に基づいて、平成１４年２月１日付手続補正書にて、補正対象項目を明細書全文として補正されたものであるが、当該（イ）に係わる補正は特許法第１７条の２第５項において準用する同法第１２６条第４項の規定を満たしていないとして原審において却下され、当該（ウ）に係わる補正も、同様に特許法第１２６条第４項の規定を満たしていないとして決定をもって却下されたものである。
　
　
［２］本願発明　　
　以上のように、平成１４年２月１日付手続補正書、及び平成１３年５月２２日付手続補正書による補正は却下されたものであるから、本願発明は、平成１１年１０月２１日付手続補正書にて補正された特許請求の範囲の請求項１に記載された次のとおりのものと認める。　
　「パチンコ機本体に設けられる遊技盤７の前面を覆うガラス扉枠１３と、パチンコ球を打球発射部へ供給する打球供給皿１５と、打球供給皿１５からの余剰球を貯留する余剰球受皿１６との下方位置で、平板状の底板３ａが左．右両側板３ｂ．３ｂの前端面より多少前方へ突設しておりその上面に腰板６が両側板３ｂ．３ｂの前端面に当接するように載置固定された機枠３の下端前面側に、色、形状によるデザインが施された合成樹脂製の飾りカバー８が装着されたことを特徴とするパチンコ機。」　
　
　
［３］刊行物に記載された発明　
（１）原査定の拒絶の理由に引用された特開平６−１７８８５８号公報（以下「刊行物１」という。）には、以下のことが記載されている。　　
　（１−１）．「【０００８】図１はパチンコ機１の概略を示す正面図、図２は縦断面図、図３は分解斜視図である。パチンコ機１は、機枠２の一側に前枠３をヒンジ手段４によって開閉可能に蝶着すると共に、上記前枠３に開設した窓部５に金枠６を設け、上記窓部５即ち、金枠６の上方部分にはガラス７を装着するガラス枠８を開閉可能に軸着するすると共に、遊技盤９を後方から臨ませ、窓部５の下方部分にはパネル１０の前面に球を貯留する上皿１１を設けた上皿セット１２を金枠６に対して開閉可能に軸着する。また、前枠３の下方部分には発射杆（図示せず）を駆動して球を遊技盤９の表面のガイドレール１３で囲まれる遊技部１４内へ打ち込むためのグリップ１５と上皿１１から溢れた球を貯留する下皿１６等を配設した下皿セット１７を設けてなる。」（第３欄第４０〜第４欄第３行）
　（１−２）．「【０００９】遊技店の島設備に固定する機枠２は、一対の側板２１ａ、２１ｂの上端に天板２２を架け渡すと共に、下端に底板２３を架け渡し、下方部分の前面側を幕板２４で覆い、この幕板２４の上縁に横臥部材２５を架け渡した箱枠状である。」（第４欄第７〜１１行）
　（１−３）．「【００３２】また、本発明は更に多様な実施例が可能である。例えば、化粧板が合板材の一方の全表面に貼設してある場合には、打抜いた汎用基材である遊技盤用基材７５の化粧板側を裏面にして使用する。即ち、合板材であるベニヤの地肌が出ている面に、所望のデザインを描いた所謂セル板を貼設して使用する。」（第７欄第４０〜４５行）　
　（１−４）．「【００３３】一方、合板材の表面の所望箇所に化粧板を貼設しておき、この合板材を切断、打抜くようにすることもできる。この場合には、化粧板の節約が可能になる。・・・。また、節約した化粧板は、機枠２の幕板２４等に利用できる」（第８欄第１〜７行）」　
　さらに、前記記載事項から以下のことも示唆されているものと認められる。
　（１−５）．前記（１−２）の記載、及び図１〜３、図５を参照すると、幕板２４は、左右両側板２１ａ，２１ｂの前端面に当接すると共に、当該前端面より突設されている底板２３に載置されて固定されていることが認められる。　
　（１−６）．前記（１−４）、（１−３）の記載から、幕板に化粧板を貼設して見栄えを良くすること、及び、見栄えを良くするためにベニヤ板の地肌に所望のデザインを描いた所謂セル板を貼設する手法も認められる。　
　　　
（２）原査定の拒絶の理由に引用された特開平７−１７８２２５号公報（以下「刊行物２」という）には、以下のことが記載されている。　　
　（２−１）「図２および図５に示すように、本体枠４４の下部に設けられた８箇所の係合口１３０には、裾板４３の裏面に設けられている８個の係合片４３ａがそれぞれ係合し、これによって本体枠４４と裾板４３とが連結されている」（第６欄第４４〜４８行）　
　（２−２）　「さらに、高さを約９mm増した裾板４３ａを用いれば、スペーサ１３２ａの使用によって本体枠４４と島との間に生じる空隙Ｔが被覆されるのでパチンコ機１０の外観を損なわない」（第１２欄第２２〜２５行）　　
（３）特開平７−１３６３３６号公報（以下「刊行物３」という）には以下のことが記載されている。　　
　（３−１）．「様々な遊技機島の単位長さに対して、容易かつ美観をそこねずに横幅を自由に設定できる腰板が望まれている。【０００４】【課題を解決するための手段】本発明は、そのような不具合を解決し、腰板を容易に着脱できる簡単な構造にして提供するものであり」（第２欄第１５〜２１行）　　
（４）実願昭５９−１０７７１５号（実開昭６１−２４０８７号）のマイクロフィルム（以下「刊行物４」という）には以下のことが記載されている。
　（４−１）．「従来かかる幕板はパチンコ台上方の点検口を被覆すると共に、各種の飾り板を嵌め込んで宣伝効果を高める目的で装着されているが、従来の幕板は裏板と額枠との間に飾り板を挟入せしめた状態で幕板と額枠を多数の螺子により完全固定せしめる様に成していたので、飾り板の取り替え時にはその都度幕板と額枠とを固定せしめている螺子を全て取り外して額枠と飾り板を分離しなければならず」（第１頁下から第６行〜第２頁第３行）　
　
［４］対比
　刊行物１に記載された発明と本願発明とを対比する。　
　前者における「上皿１１」、「下皿１６」、「幕板２４」は、各々後者における「打球供給皿１５」、「余剰打球受皿１６」「腰板６」に相当する。　してみると、両者は「パチンコ機本体に設けられる遊技盤の前面を覆うガラス扉枠と、パチンコ球打球発射部へ供給する打球供給皿と、打球供給皿からの余剰球を貯留する余剰球受皿との下方位置で、平板状の底板が左右両側板の前端面より多少前方へ突設しており、その上面に腰板が両側板の前端面に当接するように載置固定されたパチンコ機」の点で一致し、次の点で相違する。
　本願発明は、色、形状によるデザインが施された合成樹脂製の飾りカバー板が機枠３の下端前面に装着されていること、すなわち、実施例に則していうと、飾りカバー板が腰板に装着されているのに対し、刊行物１に記載された発明には、当該飾りカバー板に関する記載が認められない点。
　　　
　　
［５］相違点の検討
　当該「飾りカバー板」は、【発明が解決しようとする課題】欄の記載、すなわち、「このように前面枠を交換すると、腰板が交換できないことから腰板とのデザイン上の統一が図られず、見栄えが損なわれるといった課題があった。」旨の記載を参照すると、見栄えを良くする為のものであると認められる。　
　また、見栄えを良くするために、腰板に飾り板、化粧板を用いる等、腰板に工夫を加えることは、刊行物１，２，３，４に見られるように周知の事項である。
　してみると、刊行物１に記載された腰板に見栄えを良くする為に加える工夫として、前記（１−８）に示される、所望のデザインを描いたセル板を貼設する手法を採用することは当業者ならば容易になし得ることであり、当該採用による効果も予測の範囲内の効果であり格別のものとは認められない。
　　　
　　
［６］まとめ　　
　したがって、本願発明は特許法第２９条第２項の規定により、特許を受けることができないものであるから結論のとおり審決する。